(57)【要約】本願はエアコン取付板及びエアコンを開示する。ここで、エアコン取付板は、表面に挟持具が設置された本体板であって、挟持具と本体板とで囲んで挟持空間を形成する本体板と、挟持空間内に固定され、内部に液体が充填され、液体との間に気泡が予め保留されている気泡水準器とを含み、気泡水準器の長さの延出方向と本体板の長さの延出方向とは平行であり、気泡水準器の長さ方向に沿う中部には二つの位置決め標示線が離間して標示されている。【選択図】図１
2021527789.tif 000002
【特許請求の範囲】
【請求項１】
表面に挟持具が設置された本体板であって、前記挟持具と前記本体板とで囲んで挟持空間を形成する本体板と、
前記挟持空間内に固定され、内部に液体が充填され、前記液体との間に気泡が予め保留されている気泡水準器とを含み、
前記気泡水準器の長さの延出方向と前記本体板の長さの延出方向とは平行であり、前記気泡水準器の長さ方向に沿う中部には二つの位置決め標示線が離間して標示されているエアコン取付板。
【請求項２】
前記気泡の一方側と近接する一つの前記位置決め標示線との間隔L１の範囲値は少なくとも１ｍｍ以上且つ５ｍｍ以下である請求項１に記載のエアコン取付板。
【請求項３】
前記挟持具と前記本体板とは取り外し可能に接続され、
或いは、前記挟持具と前記本体板とは一体構造である請求項１に記載のエアコン取付板。
【請求項４】
前記挟持具は接続セグメントと挟持セグメントを含み、前記接続セグメントは前記本体板の表面に接続され、前記挟持セグメントは折り曲げられて前記接続セグメントの前記本体板から離れた一辺に接続され、前記接続セグメント、前記挟持セグメントと前記本体板とに囲まれて挟持空間が形成される請求項３に記載のエアコン取付板。
【請求項５】
前記挟持セグメントの前記接続セグメントから離れた一辺には案内セグメントが設置されており、前記案内セグメントと前記本体板との距離は前記挟持セグメントから離れる方向において徐々に大きくなり、
及び／又は、前記挟持セグメントは円弧状に設置され、且つ円弧は前記本体板から離れる方向に凸出する請求項４に記載のエアコン取付板。
【請求項６】
前記本体板にはさらに二つのリミットブロックが設置され、二つの前記リミットブロックは前記本体板に接続されて且つそれぞれ前記気泡水準器の長さ方向に沿って延びる端部に当接されている請求項１に記載のエアコン取付板。
【請求項７】
二つの前記挟持具の間には更に補助固定具が設置されており、前記補助固定具は前記本体板に接続され、且つ前記本体板とで囲んで補助固定空間を形成する請求項１に記載のエアコン取付板。
【請求項８】
前記挟持具の数は二つであり、二つの前記挟持具は前記気泡水準器の長さ延出方向に沿って離間して配列されている請求項１に記載のエアコン取付板。
【請求項９】
前記本体板には何れも各前記挟持具に対応して逃げ口が設置されており、二つの前記逃げ口の間には前記気泡水準器に当接されるためのリミット板が設置されている請求項８に記載のエアコン取付板。
【請求項１０】
前記リミット板は円弧板或いは平面板であり、
及び／又は、前記リミット板と前記本体板とは一体構造であり、
及び／又は、前記リミット板と前記本体板とは別体構造である請求項９に記載のエアコン取付板。
【請求項１１】
前記気泡水準器は前記本体板の上半部に設置され、且つ前記本体板の中心対称線上に位置する請求項１に記載のエアコン取付板。
【請求項１２】
前記気泡水準器の横断面は円形であり、前記気泡水準器の横断面の直径Ｄの範囲値は少なくとも５ｍｍ以上且つ２０ｍｍ以下であり、或いは、前記気泡水準器の横断面は矩形であり、
及び／又は、前記気泡水準器は透明なガラスチューブ或いは透明なプラスチックチューブである請求項１から１１の何れか一つに記載のエアコン取付板。
【請求項１３】
前記気泡水準器は水準管と前記水準管の長さ方向の両端に凸出して設置されている接続部を含み、前記水準管内には液体が充填され、前記水準管と前記液体との間には気泡が予め保留されており、前記水準管の中部には離間して二つの位置決め標示線が標示されており、
前記水準管の長さ延出方向と前記本体板の長さ延出方向とは平行であり、前記接続部はそれぞれ前記挟持具と前記本体板とが形成している前記挟持空間内に固定されて、前記挟持具の前記水準管方向に向かう一方側の表面は前記水準管の前記接続部に向かう端面に当接されている請求項１から１１の何れか一つに記載のエアコン取付板。
【請求項１４】
前記水準管の横断面は円形であり、前記水準管の横断面の直径Ｄ１の範囲値は少なくとも５ｍｍ以上且つ２０ｍｍ以下であり、或いは、前記水準管の横断面は矩形である請求項１３に記載のエアコン取付板。
【請求項１５】
前記接続部は管状に設置され、前記接続部は前記水準管と連通され、
及び／又は、前記接続部の横断面は円形或いは矩形であり、
及び／又は、前記水準管は透明なガラスチューブ或いは透明なプラスチックチューブである請求項１３に記載のエアコン取付板。
【請求項１６】
前記接続部は中実構造であり、
及び／又は、前記水準管と前記接続部とは一体構造であり、
及び／又は、前記水準管の長さL２の範囲値は少なくとも５ｍｍ以上且つ１００ｍｍ以下である請求項１３に記載のエアコン取付板。
【請求項１７】
前記気泡水準器は水準管と前記水準管の長さ方向の両端に設置されている当接ブロックを含み、前記水準管内には液体が充填され、前記水準管と前記液体との間には気泡が予め保留されており、前記水準管の中部には離間して二つの位置決め標示線が標示されており、
前記水準管の長さ延出方向と前記本体板の長さ延出方向とは平行であり、前記水準管は前記挟持空間内に固定されて、前記挟持具の長さ方向に沿う一方側の表面は前記当接ブロックの前記水準管に向かう端面に当接できる請求項１から１１の何れか一つに記載のエアコン取付板。
【請求項１８】
前記水準管の長さL３の範囲値は少なくとも５ｍｍ以上且つ１００ｍｍ以下であり、
及び／又は、前記水準管の横断面は円形であり、前記水準管の横断面の直径Ｄ２の範囲値は少なくとも５ｍｍ以上且つ２０ｍｍ以下であり、或いは、前記水準管の横断面は矩形であり、
及び／又は、前記水準管は透明なガラスチューブ或いは透明なプラスチックチューブである請求項１７に記載のエアコン取付板。
【請求項１９】
前記当接ブロックの横断面は円形或いは矩形であり、
及び／又は、前記水準管と前記当接ブロックとは一体構造である請求項１７に記載のエアコン取付板。
【請求項２０】
エアコン室内機と、
請求項１から１９の何れか一つに記載のエアコン取付板とを含み、前記エアコン室内機は前記エアコン取付板上に架設されているエアコン。
【発明の詳細な説明】
【技術分野】
【０００１】
［関連出願］
本願は２０１９年０５月１７日に提出された、出願番号２０１９２０７１６７３０．Ｘ、発明名称「エアコン取付板及びエアコン」、出願番号２０１９２０７２１２５７．４、発明名称「エアコン取付板及びエアコン」及び出願番号２０１９２０７２１２９４．５、発明名称「エアコン取付板及びエアコン」である中国特許出願の優先権を主張し、その全文を参考としてここに援用する。
【０００２】
本願はエアコン技術の分野に関し、特にエアコン取付板及び当該エアコン取付板が応用されるエアコンに関する。
【背景技術】
【０００３】
従来のエアコン室内機では取付手順が比較的複雑である。一般的に、エアコン取付板を水平に取付基体（例えば壁面）上に固定して、そしてエアコン室内機をエアコン取付板上に固定する。従って、エアコン取付板の取付基体上における水平取付精度を保証する必要がある。これにより、一般的なエアコン取付板の取付過程では、追加の水準器設備を使用して補助する必要がある。取付の作業員は片手でエアコン取付板を支え、もう片手で水準器を調整して、複数回の調整をして初めて水平の位置合わせを完成できる。しかも、位置合わせの後で、もう一名の作業員によりマークをしなければ、エアコン取付板の水平の確定ができない。この過程は、取付作業員の労力を増すだけでなく、全体としての取付効率も低い。
【０００４】
上記内容は本願の技術案の理解を助けるために用いられ、上記内容が先行技術だと認めるわけではない。
【発明の概要】
【０００５】
本願の主な目的は、迅速且つ便利にエアコン取付板の水平度を調整して、取付効率及び測定精度を高められるようにするエアコン取付板を提供することである。
【０００６】
上記目的を達成するために、本願が提案するエアコン取付板は、表面に挟持具が設置された本体板であって、前記挟持具と前記本体板とで囲んで挟持空間を形成する本体板と、前記挟持空間内に固定され、内部に液体が充填され、前記液体との間に気泡が予め保留されている気泡水準器とを含み、前記気泡水準器の長さの延出方向と前記本体板の長さの延出方向とは平行であり、前記気泡水準器の長さ方向に沿う中部には二つの位置決め標示線が離間して標示されている。
【０００７】
本願の一実施例において、前記気泡の一方側と近接する一つの前記位置決め標示線との間隔L１の範囲値は少なくとも１ｍｍ以上且つ５ｍｍ以下である。
【０００８】
本願の一実施例において、前記挟持具と前記本体板とは取り外し可能に接続され、或いは、前記挟持具と前記本体板とは一体構造である。
【０００９】
本願の一実施例において、前記挟持具は接続セグメントと挟持セグメントを含み、前記接続セグメントは前記本体板の表面に接続され、前記挟持セグメントは折り曲げられて前記接続セグメントの前記本体板から離れた一辺に接続され、前記接続セグメント、前記挟持セグメントと前記本体板とに囲まれて挟持空間が形成される。
【００１０】
本願の一実施例において、前記挟持セグメントの前記接続セグメントから離れた一辺には案内セグメントが設置されており、前記案内セグメントと前記本体板との距離は前記挟持セグメントから離れる方向において徐々に大きくなり、及び／又は、前記挟持セグメントは円弧状に設置され、且つ円弧は前記本体板から離れる方向に凸出する。
【００１１】
本願の一実施例において、前記本体板にはさらに二つのリミットブロックが設置され、二つの前記リミットブロックは前記本体板に接続されて且つそれぞれ前記気泡水準器の長さ方向に沿って延びる端部に当接されている。
【００１２】
本願の一実施例において、二つの前記挟持具の間には更に補助固定具が設置されており、前記補助固定具は前記本体板に接続され、且つ前記本体板とで囲んで補助固定空間を形成する。
【００１３】
本願の一実施例において、前記挟持具の数は二つであり、二つの前記挟持具は前記気泡水準器の長さ延出方向に沿って離間して配列されている。
【００１４】
本願の一実施例において、前記本体板には何れも各前記挟持具に対応して逃げ口が設置されており、二つの前記逃げ口の間には前記気泡水準器に当接されるためのリミット板が設置されている。
【００１５】
本願の一実施例において、前記リミット板は円弧板或いは平面板であり、及び／又は、前記リミット板と前記本体板とは一体構造であり、及び／又は、前記リミット板と前記本体板とは別体構造である。
【００１６】
本願の一実施例において、前記気泡水準器は前記本体板の上半部に設置され、且つ前記本体板の中心対称線上に位置する。
【００１７】
本願の一実施例において、前記気泡水準器の横断面は円形であり、前記気泡水準器の横断面の直径Ｄの範囲値は少なくとも５ｍｍ以上且つ２０ｍｍ以下であり、或いは、前記気泡水準器の横断面は矩形であり、及び／又は、前記気泡水準器は透明なガラスチューブ或いは透明なプラスチックチューブである。
【００１８】
本願の一実施例において、前記気泡水準器は水準管と前記水準管の長さ方向の両端に凸出して設置されている接続部を含み、前記水準管内には液体が充填され、前記水準管と前記液体との間には気泡が予め保留されており、前記水準管の中部には離間して二つの位置決め標示線が標示されており、前記水準管の長さ延出方向と前記本体板の長さ延出方向とは平行であり、前記接続部はそれぞれ前記挟持具と前記本体板とが形成している前記挟持空間内に固定されて、前記挟持具の前記水準管方向に向かう一方側の表面は前記水準管の前記接続部に向かう端面に当接されている。
【００１９】
本願の一実施例において、前記水準管の横断面は円形であり、前記水準管の横断面の直径Ｄ１の範囲値は少なくとも５ｍｍ以上且つ２０ｍｍ以下であり、或いは、前記水準管の横断面は矩形であり、及び／又は、前記水準管と前記接続部とは一体構造であり、及び／又は、前記水準管の長さL２の範囲値は少なくとも５ｍｍ以上且つ１００ｍｍ以下である。
【００２０】
本願の一実施例において、前記接続部は管状に設置され、前記接続部は前記水準管と連通され、及び／又は、前記接続部の横断面は円形或いは矩形であり、及び／又は、前記水準管は透明なガラスチューブ或いは透明なプラスチックチューブである。
【００２１】
本願の一実施例において、前記接続部は中実構造であり、及び／又は、前記水準管と前記接続部とは一体構造であり、及び／又は、前記水準管の長さL２の範囲値は少なくとも５ｍｍ以上且つ１００ｍｍ以下である。
【００２２】
本願の一実施例において、前記気泡水準器は水準管と前記水準管の長さ方向の両端に設置されている当接ブロックを含み、前記水準管内には液体が充填され、前記水準管と前記液体との間には気泡が予め保留されており、前記水準管の中部には離間して二つの位置決め標示線が標示されており、前記水準管の長さ延出方向と前記本体板の長さ延出方向とは平行であり、前記水準管は前記挟持空間内に固定されて、前記挟持具の長さ方向に沿う一方側の表面は前記当接ブロックの前記水準管に向かう端面に当接できる。
【００２３】
本願の一実施例において、前記水準管の長さL３の範囲値は少なくとも５ｍｍ以上且つ１００ｍｍ以下であり、及び／又は、前記水準管の横断面は円形であり、前記水準管の横断面の直径Ｄ２の範囲値は少なくとも５ｍｍ以上且つ２０ｍｍ以下であり、或いは、前記水準管の横断面は矩形であり、及び／又は、前記水準管は透明なガラスチューブ或いは透明なプラスチックチューブである。
【００２４】
本願の一実施例において、前記当接ブロックの横断面は円形或いは矩形であり、及び／又は、前記水準管と前記当接ブロックとは一体構造である。
【００２５】
本願は更に、エアコン室内機を含むエアコンを提案し、上記のエアコン取付板により、前記エアコン室内機は前記エアコン取付板上に架設されており、前記エアコン取付板は、表面に挟持具が設置された本体板であって、前記挟持具と前記本体板とで囲んで挟持空間を形成する本体板と、前記挟持空間内に固定され、内部に液体が充填され、前記液体との間に気泡が予め保留されている気泡水準器とを含み、前記気泡水準器の長さの延出方向と前記本体板の長さの延出方向とは平行であり、前記気泡水準器の長さ方向に沿う中部には二つの位置決め標識線が離間して標示されている。
【００２６】
本願の技術案は、エアコン取付板の本体板上に挟持具を設置することで気泡水準器を固定する。気泡水準器内には液体が充填されて、気泡水準器と液体との間には気泡が予め保留されている。気泡水準器の長さ延出方向と本体板の長さ延出方向とは平行であり、且つ気泡水準器の中部には離間して二つの位置決め標識線が標示されているため、本体板と気泡水準器とを一体にする。取付の過程において本体板を調整及び移動する時、取付作業員は気泡水準器における気泡と二つの位置決め標示線との位置関係だけで、本体板の長さ延出方向と水平線との間の角度がエアコン取付板の水平方向における取付精度を満たすか否かを判断する。取付作業員は観察して気泡が二つの位置決め標示線の間に位置するように保つだけで、エアコン取付板の本体取付後の良好な水平度を保証できる。この過程は一人の取付作業員だけで取付を完成できるので、従来の取付過程におけるエアコン取付板と測定装置それぞれに対する個別の操作を避けて、労働力を省いてエアコン取付板のレベリングの時間を短縮して、取付の過程がより簡単且つ取付の精度がより高くなり、エアコン取付の全体の仕事効率を高めた。
【図面の簡単な説明】
【００２７】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願のエアコン取付板の一実施例の斜視構造模式図である。
【図２】図１のＡでの拡大模式図である。
【図３】本願のエアコン取付板の正面図である。
【図４】本願のエアコン取付板の側面図である。
【図５】図１における気泡水準器の斜視構造模式図である。
【図６】図１における気泡水準器の正面図である。
【図７】本願の気泡水準器のもう一つの実施例の斜視構造模式図である。
【図８】本願のエアコン取付板のもう一つの実施例の斜視構造模式図である。
【図９】図８のＢでの拡大模式図である。
【図１０】図８における気泡水準器の斜視組立構造模式図である。
【図１１】図８における気泡水準器の正面図である。
【図１２】図８における気泡水準器のもう一つの実施例の斜視構造模式図である。
【図１３】本願のエアコン取付板のもう一つの実施例の斜視構造模式図である。
【図１４】図１３のＢでの拡大模式図である。
【図１５】図１３における気泡水準器の斜視組立構造模式図である。
【図１６】図１３における気泡水準器の正面図である。
【図１７】図１３における気泡水準器のもう一つの実施例の斜視構造模式図である。
【００２８】
添付図面を参照して、実施例と組み合わせて本願目的の実現、機能特徴及び長所をさらに説明する。
【発明を実施するための形態】
【００２９】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属する。
【００３０】
なお、本願実施例での全ての方向性指示（例えば上、下、左、右、前、後．．．）は、ある特定の姿勢（添付図面に示す）における各部品間の相対的位置関係、運動状況等を説明するためだけに用いられ、もし当該特定の姿勢が変わる場合、当該方向性指示も相応に変化する。
【００３１】
本願において、別途明確な規定や限定がない限り、「接続」、「固定」などの用語は広義に理解されるべきである。例えば、「固定」は固定的な接続でもよく、取り外し可能な接続でもよく、或いは一体としてもよい。また、機械的な接続でもよく、電気的な接続でもよい。また、直接につながってもよく、中間にある媒介によって間接的につながってもよく、二つの素子内部の連通或いは二つの素子の相互作用関係であってもよい。当業者にとって、具体的な状況により上記用語の本願における具体的な意味を理解できる。
【００３２】
また、本願実施例において「第一」、「第二」等の記述は説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでも良い。また、全文において示される「及び／又は」は三つの並行する案を含むことを意味する。「Ａ及び／又は」を例に取ると、Ａ案、或いはＢ案、或いはＡとＢとが同時に満たされる案を含むことになる。また、各実施例の技術案はお互いに組み合わせることができる。ただし、当業者が実現できることを前提にしなければならず、技術案の組み合わせに矛盾が生じるか、実現できない場合には、このような技術案の組み合わせが存在しない、且つ本願が請求する保護範囲にないと理解すべきである。
【００３３】
図１から図４を参照し、本願ではエアコン取付板１００を提案する。
【００３４】
本願実施例において、当該エアコン取付板１００は、表面に挟持具１１が設置された本体板１０であって、挟持具１１と本体板１０とで囲んで挟持空間を形成する本体板１０と、挟持空間内に固定され、内部に液体が充填され、液体との間に気泡２１が予め保留されている気泡水準器２０とを含み、気泡水準器２０の長さの延出方向と本体板１０の長さの延出方向とは平行であり、気泡水準器２０の長さ方向に沿う中部には二つの位置決め標示線２２が離間して標示されている。
【００３５】
なお、気泡水準器２０の長さに沿う延出方向において、二つの位置決め標示線２２はそれぞれ左位置決め標示線２２と右位置決め標示線２２であり、気泡２１の両側は左縁と右縁であり、即ち、気泡２１の左縁は左位置決め標示線２２に近く、気泡２１の右縁は右位置決め標示線２２に近く、本体板１０が水平になった時、気泡２１の左縁と右縁は何れも両位置決め標示線２２の間に位置し、気泡２１の左縁から左位置決め標示線２２までの間隔と気泡２１の右縁から右位置決め標示線２２までの間隔とが概ね等しい時、本体板１０の取付精度が比較的高く、気泡２１の左縁から左位置決め標示線２２までの間隔が気泡２１の右縁から右位置決め標示線２２までの間隔より小さい時、本体板１０の左端の高さは本体板１０の右端の高さより低くなり、気泡２１の右縁から右位置決め標示線２２までの間隔が気泡２１の左縁から左位置決め標示線２２までの間隔より小さい時、本体板１０の左端の高さは本体板１０の右端の高さより高くなり、気泡２１の左縁と左位置決め標示線２２とが重なり合った時、或いは気泡２１の右縁と右位置決め標示線２２とが重なり合った時、本体板１０の取付傾斜角度は既に極限値まで達している。
【００３６】
図５から図７を参照し、本願の一実施例において、気泡２１の一方側と近接する一つの位置決め標示線２２との間隔L１の値は少なくとも１ｍｍ以上且つ５ｍｍ以下になる範囲にある。即ち、気泡２１が液体中で移動できるので、気泡２１が両位置決め標示線２２の間に位置する場合、気泡水準器２０が水平に向き、即ち、本体板１０が水平状態になる。従ってその水平度の正確さを保証するため、当該L１の範囲値を少なくとも１ｍｍ以上且つ５ｍｍ以下になるように設定する。１ｍｍより低い場合、両位置決め標示線の間の間隔が近すぎて、気泡２１を両位置決め標示線２２間に位置するように調整する際の操作が比較的難しく、調整しづらく、調整の難易度を高めてしまう。一方、５ｍｍを超えてしまうと、両位置決め標示線２２の間の間隔が遠すぎて、水平度の正確さを保証出来なくなってしまう。従って、上記のパラメータ範囲、例えば、１ｍｍ、２ｍｍ、３ｍｍ、４ｍｍ、５ｍｍ、或いは当該距離パラメータ内の任意の数値に設定する。
【００３７】
図１と図２を参照し、本願の一実施例において、挟持具１１と本体板は取り外し可能な接続になっていて、或いは、挟持具１１と本体板１０とは一体構造になっている。挟持具１１と本体板１０とは別体構造である場合、係接或いはネジ接続等により取り外し可能に接続して固定できることは、理解できる。従って、挟持具１１の修理や交換が必要になる場合、それを取り外しやすい。また、挟持具１１と本体板１０を別々に生産及び包装することにより、生産が便利なだけでなく、挟持具１１が運送過程において損傷されることを避けられる。或いは、挟持具１１と本体板１０を一体構造として構造を簡略化することで、エアコン取付板１００の取付過程での取付効率を高める。
【００３８】
本願の一実施例において、挟持具１１は接続セグメント１１１と挟持セグメント１１２を含み、接続セグメント１１１は本体板１０の表面に接続され、挟持セグメント１１２は折り曲げられて接続セグメント１１１の本体板１０から離れた一辺に接続され、接続セグメント１１１、挟持セグメント１１２と本体板１０とに囲まれて挟持空間が形成される。図２に示すように、即ち、接続セグメント１１１と挟持セグメント１１２とは一体として設置され、その全体構造を強化できる。従って、気泡水準器２０を挟持する過程において、挟持具１１による固定の強度を保証する。気泡水準器２０が挟持空間内で挟持される時、接続セグメント１１１は気泡水準器２０に上向きの支持力を提供して気泡水準器２０を支持する。挟持セグメント１１２は気泡水準器２０を押して本体板１０に当接することにより、気泡水準器２０が挟持空間内に挟持されるようにする。
【００３９】
さらに、挟持セグメント１１２の接続セグメント１１１から離れた一辺には案内セグメント１１３が設置されており、案内セグメント１１３と本体板１０との間の距離は挟持セグメント１１２から離れる方向において徐々に大きくなる。挟持具１１の強度を強化するように、案内セグメント１１３と挟持セグメント１１２は一体構造とする。取付過程において、気泡水準器２０は挟持セグメント１１２に入れられて挟まる前に、先ずは案内セグメント１１３を通過する。案内セグメント１１３と本体板１０との間の距離は挟持セグメント１１２から離れる方向において徐々に大きくなるため、気泡水準器２０はより便利且つ迅速に挿入でき、効率を高められる。気泡水準器２０が挟持空間内に取り付けられた後、案内セグメント１１３と本体板１０との間の協力により、気泡水準器２０を上方に向けて抜き出すことを難しくすることで、挟持空間内に安定させる。
【００４０】
好ましくは、挟持セグメント１１２は円弧状に設置され、且つ円弧は本体板１０から離れる方向に凸出する。円弧状に設置され且つ本体板１０から離れる方向に凸出するため、挟持セグメント１１２により挟持空間内に挟持されている時、挟持セグメント１１２が安定して気泡水準器２０に当接するだけでなく、気泡水準器２０とは円滑な中間ばめであり、しかも円弧の設置は取付過程において取付作業員へ危険をもたらすことを避ける。なお、挟持具１１の形は当業者が具体的な状況により選択することができ、ここではこれ以上贅言しない。
【００４１】
本願の一実施例において、図１から図３に示すように、本体板１０にはさらに二つのリミットブロック１２が設置され、二つのリミットブロック１２は本体板１０に接続されて且つそれぞれ気泡水準器２０の長さ方向に沿って延びる端部に当接されている。気泡水準器２０の取付後、二つのリミットブロック１２、１２はそれぞれ気泡水準器２０の長さ方向に沿って延びる両端部に当接され、さらに気泡水準器２０の左右方向への搖動を制限する。また、気泡水準器２０取付後の係合堅固性をさらに高めるために、二つのリミットブロック１２、１２は本体板１０と一体化して本体板１０に設置されることにより、当接時の構造強度を保証する。一実施例において、気泡水準器２０の取付と取出しを便利にするように、リミットブロック１２は本体板１０と折り曲げ接続されても良い。なお、リミットブロックの形状は当業者が実際の状況により選択でき、ここではこれ以上贅言しない。
【００４２】
さらに、二つの挟持具１１の間には補助固定具（図示しない）が設置されており、補助固定具は本体板１０に接続され、且つ本体板１０とで囲んで補助固定空間を形成する。理解できるのは、当該補助固定空間はさらに気泡水準器２０を本体板１０に固定することで、安定性を増すことができる。例えば、当該固定具は爪として気泡水準器２０に係接し、そしてネジで爪を本体板１０上に固定することで、気泡水準器２０取付後の全体の安定性を保証する。ここでは限定しないが、他の方式により固定できることは勿論である。
【００４３】
図２を参照し、本願の一実施例において、挟持具１１の数は二つであり、二つの挟持具１１は気泡水準器２０の長さ延出方向に沿って離間して配列されている。二つの挟持具１１の設置により、気泡水準器２０両端の二つの接続部２２に対してそれぞれ上下方向における位置制限を行う。例えば図２のように、その中の一つの挟持具１１は気泡水準器２０の左端に近接して設置され、もう一つの挟持具１１は気泡水準器２０の右端に近接して設置されている。理解できるのは、他の実施例において、挟持具１１の数は複数、例えば三つ或いは四つでもよい。気泡水準器２０に対する安定した挟持を実現できるように、複数の挟持具１１は本体板１０上で均一な間隔で設置できる。
【００４４】
図１と図２を組み合わせて参照し、本願の一実施例において、本体板１０には何れも各挟持具１１に対応して逃げ口１３が設置されており、二つの逃げ口１３の間には気泡水準器２０に当接されるためのリミット板１４が設置されている。理解できるのは、逃げ口１３を切って設置することにより、気泡水準器２０の取り外し時、作業員は挟持具１１から離脱するように気泡水準器２０を上に向かって押せるだけでなく、逃げ口１３の中から接続部２２を上に向かって押して、接続部２２を挟持空間から離脱させることで、気泡水準器２０を取り出せる。当該リミット板１４の材質はシリコン或いはゴムなどの弾性材質である。気泡水準器２０の取付時は上から下へと押されて、リミット板１４が力を受けて弾性変形することで、気泡水準器２０が順調に挟持空間内に入れられて挟まれた後で、リミット板１４が元の位置に回復して気泡水準器２０を係着する。これにより前に向かう圧力を提供することで、気泡水準器２０を挟持空間から抜けないようにして、固定の堅固性を高めた。
【００４５】
更に、リミット板１４は円弧板或いは平面板である。リミット板１４を円弧板或いは平面板等の規則的な形状とすることにより、気泡水準器２０と当接される時、気泡水準器２０の水平度に影響せず、測定の水平精度を確保する。
【００４６】
好ましくは、リミット板１４と本体板１０とは一体構造である。リミット板１４と本体板１０とを一体構造とすることで、リミット板１４と本体板１０全体としての強度を保証し、余分な取付時間を減らし、取付効率を高めた。
【００４７】
好ましくは、リミット板１４と本体板１０とは別体構造である。リミット板１４と本体板１０とを別体構造として設置することで、係接或いはネジ接続等により取り外し可能に接続して固定できる。従って、リミット板１４の修理や交換が必要になる場合、それを取り外しやすい。また、リミット板１４と本体板１０を別々で生産及び包装することにより、生産が便利なだけでなく、リミット板１４が運送過程において損傷されることを避けられる。
【００４８】
図１と図３を参照し、本願の一実施例において、気泡水準器２０は本体板１０の上半部に設置されて、且つ本体板１０の中心対称線上に位置する。本体板１０の両端には組立板１５が設置されて、生産を便利にするように、組立板１５は本体板１０とは一体に設置できる。組立板１５はエアコン室内機機体の両端を固定するために用いられる。気泡水準器２０は本体板１０の上半部に設置されていることで、エアコン室内機が取り付けられている時、気泡水準器２０に接触して押し付けられることを避ける。気泡水準器２０を本体板１０の中心対称線に設置することで、気泡水準器２０が検出するのは本体板１０の中心対称線における水平度であり、測定の精度をより高くする。
【００４９】
図５から図７を参照し、本願の一実施例において、気泡水準器２０の横断面は円形であり、気泡水準器２０横断面の直径Ｄの範囲値は少なくとも５ｍｍ以上且つ２０ｍｍ以下である。或いは、気泡水準器２０の横断面は矩形である。気泡水準器２０が細長い円柱形である場合、気泡水準器２０の長さ方向に沿う横断面の直径Ｄの範囲値は少なくとも５ｍｍ以上且つ２０ｍｍ以下である。即ち、当該気泡水準器２０が細長い円柱形として設置される場合、当該気泡水準器２０の直径が５ｍｍより小さい時、収容できる液体の量は少な過ぎる。これにより気泡２１が小さすぎて、観察が面倒になる。気泡水準器２０の直径が２０ｍｍより大きい時、気泡水準器２０の体積が大き過ぎることで、占用するスペースが大きすぎて、空間の利用効率を下げてしまう。よって、気泡水準器２０の直径Ｄの範囲値を少なくとも５ｍｍ以上且つ２０ｍｍ以下に設定する。例えば、５ｍｍ、１０ｍｍ、１５ｍｍ、２０ｍｍ、２５ｍｍ、３０ｍｍ等に設定できる。なお、当業者が具体的な状況により選択することができ、ここではこれ以上贅言しない。また、気泡水準器２０を矩形等規則的な形状に設定することにより、取付作業員がより直観的に気泡２１１の移動の様子を観察できるようにし、気泡水準器２０の水平精度をより高くしても良い。
【００５０】
好ましくは、気泡水準器２０は透明なガラスチューブ或いは透明なプラスチックチューブである。気泡水準器２０が透明なガラス材或いは透明なプラスチック材により製造されることで、気泡２１の液体中における位置情報をはっきり読み取ることができる。
【００５１】
本願の一実施例において、図８から図１０を組み合わせて参照し、気泡水準器２０は水準管Ａ２１と水準管Ａ２１の長さ方向の両端に凸出して設置されている接続部Ａ２２を含む。水準管Ａ２１内には液体が充填され、水準管Ａ２１と液体との間には気泡２１が予め保留されている。前記水準管Ａ２１の中部には離間して二つの位置決め標示線２２が標示されている。
【００５２】
水準管Ａ２１の長さ延出方向は本体板１０の長さ延出方向とは平行であり、二つの接続部Ａ２２はそれぞれ二つの挟持具１１と本体板１０とが形成している挟持空間内に固定されて、挟持具１１の水準管Ａ２１方向に向かう一方側の表面は水準管Ａ２１の接続部Ａ２２に向かう端面に当接されている。
【００５３】
好ましくは、接続部Ａ２２が挟持空間内に位置するため、気泡水準器２０の上下前後方向への搖動が制限される。挟持具１１の水準管Ａ２１方向に向かう側の表面が水準管Ａ２１の接続部Ａ２２に向かう端面に当接されているため、水準管Ａ２１の左右方向における搖動が制限される。従って、エアコン取付板１００を動かす際、気泡水準器２０が上下前後左右に揺れることで水平取付精度に影響することがないように保証する。二つの接続部Ａ２２の水準管Ａ２１方向に沿う軸線が重なり合ってもよい。これにより、挟持空間内に固定されている時、取付を便利にして且つテスト精度を保証する。また、挟持具１１の形状は、二つの突起が接続されている一体構造であってもよく、この二つの突起で水準管Ａ２１両端の接続部Ａ２２をそれぞれ本体板１０に固定する。或いは、独立した二つの突起がそれぞれ独立して本体板１０に設置され、両端の接続部Ａ２２を本体板１０上に独立して固定してもよい。なお、当業者は実際の状況により選択でき、ここではこれ以上贅言しない。
【００５４】
よって、エアコン取付板１００の本体板１０上に挟持具１１を設置することで気泡水準器２０を固定する。気泡水準器２０は水準管Ａ２１と水準管Ａ２１の長さ方向の両端に凸出して設置されている接続部Ａ２２を含む。水準管Ａ２１内に液体と気泡２１を有し、且つ水準管Ａ２１の長さ延出方向は本体板１０の長さ延出方向とは平行であるため、接続部Ａ２２が挟持空間内に挟持され、水準管Ａ２１が周囲に露呈しているので、取付作業員がより簡単に気泡２１及び水準管Ａ２１中での位置を観察し、本体板１０の長さ延出方向と水平線との角度はエアコン取付板の水平方向での取付精度を満たすか否かを判断する。取付過程がより簡単で且つ取付精度が高く、エアコン取付の全体としての仕事効率を高める。また、挟持具１１と本体板１０とが形成する挟持空間で接続部Ａ２２を固定し、挟持具１１の挟持空間は気泡水準器２０の本体板１０上での上下前後の搖動を制限する。挟持具１１の水準管Ａ２１方向に向かう側の表面は水準管Ａ２１の接続部Ａ２２に向かう端面に当接されることは、気泡水準器２０の本体板１０上における左右の搖動を制限する。これにより気泡水準器２０が全体として本体板１０に取り付けられる安定性を保証し、測定時の精度保証を高めた。
【００５５】
更に、図１１を参照し、水準管Ａ２１の横断面は円形であり、水準管Ａ２１の横断面の直径Ｄ１の範囲値は少なくとも５ｍｍ以上且つ２０ｍｍ以下である。或いは、水準管Ａ２１の横断面は矩形である。水準管Ａ２１が細長い円柱形である場合、水準管Ａ２１の長さ方向に沿う横断面の直径Ｄ１の範囲値は少なくとも５ｍｍ以上且つ２０ｍｍ以下である。即ち、当該水準管Ａ２１は細長い円柱形として設置でき、当該水準管Ａ２１の直径が５ｍｍより少ない場合、収容できる液体の量は少な過ぎる。これにより気泡２１が小さすぎて、観察が面倒になる。水準管Ａ２１の直径が２０ｍｍより大きい時、水準管Ａ２１の体積が大き過ぎることで、占用するスペースが大きすぎて、空間の利用効率を下げてしまう。よって、水準管Ａ２１の直径Ｄの範囲値を少なくとも５ｍｍ以上且つ２０ｍｍ以下に設定する。例えば、５ｍｍ、１０ｍｍ、１５ｍｍ、２０ｍｍ、２５ｍｍ、３０ｍｍ等に設定できる。なお、当業者が具体的な状況により選択することができ、ここではこれ以上贅言しない。また、水準管Ａ２１を矩形等規則的な形状に設定することにより、取付作業員がより直観的に気泡２１の移動の様子を観察できるようにし、気泡水準器２０の水平精度をより高くしてもよい。
【００５６】
好ましくは、接続部Ａ２２は管状を呈して設置されて、接続部Ａ２２と水準管Ａ２１とは連通している。即ち、接続部Ａ２２は管状構造等の細長い構造などで、均一に力を受けて気泡水準器２０の水平精度を保証できる。接続部Ａ２２はまた中空構造でもよく、これにより水準管Ａ２１と連通し、より多くの液体を収容できる。
【００５７】
好ましくは、図１０から図１２を参照し、接続部Ａ２２の横断面は円形或いは矩形である。接続部Ａ２２の横断面を円形或いは矩形等の規則的な形状とすることで、接続部Ａ２２が当接過程においてより均一に力を受けるようにし、気泡水準器２０の水平精度を保証する。
【００５８】
好ましくは、水準管Ａ２１は透明なガラスチューブ或いは透明なプラスチックチューブである。即ち、水準管Ａ２１が透明なガラス材或いは透明なプラスチック材により製造されることで、気泡２１の液体中における位置情報をはっきり読み取ることができる。
【００５９】
好ましくは、接続部Ａ２２は中実構造である。接続部Ａ２２はまた中実構造でもよく、これにより取付の当接時には比較的強い硬度を持ち、取付時の安定性を保証できる。
【００６０】
好ましくは、水準管Ａ２１は接続部Ａ２２と一体構造になっている。水準管Ａ２１を接続部Ａ２２と一体構造として設置することで、その両方の構造の強度を高め、気泡水準器２０の取付時の安定性を保証するだけでなく、余分な取付時間を減らし、全体としての取付効率を高めた。
【００６１】
好ましくは、図１１を参照し、水準管Ａ２１の長さL２の範囲値は少なくとも５ｍｍ以上且つ１００ｍｍ以下である。即ち、当該水準管Ａ２１の長さは細長い設置でもよい。当該水準管Ａ２１の長さが５ｍｍより小さいと、水準管Ａ２１の長さが少な過ぎて、気泡２１１を小さい幅で移動するように調整する際の難易度が高く、操作には不利になる。水準管Ａ２１の長さが１００ｍｍより大きいと、水準管Ａ２１の長さは長いが、全体の利用率が低く、無駄が生じる。よって、水準管Ａ２１の長さL２の範囲値を少なくとも５ｍｍ以上且つ１００ｍｍ以下として設定する。例えば、５ｍｍ、１０ｍｍ、１５ｍｍ、２０ｍｍ、２５ｍｍ、３０ｍｍ等、あるいは当該距離パラメータ内の何れか一つの数値に設定できる。
【００６２】
本願のもう一つの実施例において、図１３から図１５を参照し、気泡水準器２０は水準管Ａ２１と水準管Ａ２１の長さ方向の両端に設置されている当接ブロックＡ２３を含む。水準管Ａ２１内には液体が充填され、水準管Ａ２１と前記液体との間には気泡２１が予め保留されている。前記水準管Ａ２１の中部には離間して二つの位置決め標示線２２が標示されている。
【００６３】
水準管Ａ２１の長さ延出方向は本体板１０の長さ延出方向とは平行であり、水準管Ａ２１は挟持空間内に固定されて、挟持具１１の長さ方向に沿う一方側の表面は当接ブロックＡ２３の水準管Ａ２１に向かう端面に当接できる。
【００６４】
なお、当接ブロックＡ２３は取付の当接時には比較的強い硬度を持つ中実構造でもよい。或いは、当接ブロックＡ２３は水準管Ａ２１と連通して、より多くの液体を収容する中空構造でもよい。挟持具１１の長さ方向に沿う一方側の表面は当接ブロックＡ２３の水準管Ａ２１に向かう端面に当接されている時、気泡水準器２０の左右方向の搖動は何れも挟持具１１により制限される。挟持具１１が二つの当接ブロックＡ２３に当接されていない時、本体板１０上に二つの当接ブロックＡ２３の互いに離れる両端に位置する補助リミット部材を独立して設置することで、気泡水準器２０の左右方向の搖動を制限する。更に、エアコン取付板１００を移動させる時、気泡水準器２０が左右に揺れて水平の取付精度に影響しないよう保証する。
【００６５】
よって、エアコン取付板１００の本体板１０上に挟持具１１を設置することで気泡水準器２０を固定する。気泡水準器２０は水準管Ａ２１と水準管Ａ２１の長さ方向の両端に設置されている当接ブロックＡ２３を含む。水準管Ａ２１内に液体と気泡２１を有し、且つ水準管Ａ２１の長さ延出方向は本体板１０の長さ延出方向とは平行であるため、挟持具１１と本体板１０とが形成する挟持空間で水準管Ａ２１を固定し、本体板１０と気泡水準器２０を一体にする。取付過程において本体板１０を調整及び移動する時、取付作業員が水準管Ａ２１中での気泡２１の位置だけにより、本体板１０の長さ延出方向と水平線との角度がエアコン取付板の水平方向での取付精度を満たすか否かを判断する。取付過程がより簡単で且つ取付精度が高く、エアコン取付の全体としての仕事効率を高める。しかも、挟持具１１の挟持空間は気泡水準器２０の本体板１０上における上下前後の搖動を制限し、挟持具１１の長さ方向に沿う一方側の表面が当接ブロックＡ２３の水準管Ａ２１に向かう端面に当接されるのは、気泡水準器２０の本体板１０上での左右の搖動を制限し、気泡水準器２０が本体板１０に取り付けられる安定性を保証し、測定時の精度を保証した。
【００６６】
更に、図１５と図１６を参照し、水準管Ａ２１の長さL３の範囲値は少なくとも５ｍｍ以上且つ１００ｍｍ以下である。即ち、当該水準管Ａ２１の長さは細長い設置でもよい。当該水準管Ａ２１の長さが５ｍｍより小さいと、水準管Ａ２１の長さが少な過ぎて、気泡２１を小さい幅で移動するように調整する際の難易度が高く、操作には不利になる。水準管Ａ２１の長さが１００ｍｍより大きいと、水準管Ａ２１の長さは長いが、全体の利用率が低く、無駄が生じる。よって、水準管Ａ２１の長さL３の範囲値を少なくとも５ｍｍ以上且つ１００ｍｍ以下として設定する。例えば、５ｍｍ、１０ｍｍ、１５ｍｍ、２０ｍｍ、２５ｍｍ、３０ｍｍ等、あるいは当該距離パラメータ内の何れか一つの数値に設定できる。
【００６７】
好ましくは、図１６を参照し、水準管Ａ２１の横断面は円形であり、水準管Ａ２１の横断面の直径Ｄ２の範囲値は少なくとも５ｍｍ以上且つ２０ｍｍ以下である。或いは、水準管Ａ２１の横断面は矩形である。水準管Ａ２１が細長い円柱形である場合、水準管Ａ２１の長さ方向に沿う横断面の直径Ｄ２の範囲値は少なくとも５ｍｍ以上且つ２０ｍｍ以下である。即ち、当該水準管Ａ２１が細長い円柱形として設置される場合、当該水準管Ａ２１の直径が５ｍｍより小さい時、収容できる液体の量は少な過ぎる。これにより気泡２１が小さすぎて、観察が面倒になる。水準管Ａ２１の直径が２０ｍｍより大きい時、水準管Ａ２１の体積が大き過ぎることで、占用するスペースが大きすぎて、空間の利用効率を下げてしまう。よって、水準管Ａ２１の直径Ｄ２の範囲値を少なくとも５ｍｍ以上且つ２０ｍｍ以下に設定する。例えば、５ｍｍ、１０ｍｍ、１５ｍｍ、２０ｍｍ、２５ｍｍ、３０ｍｍ等に設定できる。なお、当業者が具体的な状況により選択することができ、ここではこれ以上贅言しない。また、水準管Ａ２１を矩形等規則的な形状に設定することにより、取付作業員がより直観的に気泡２１の移動の様子を観察できるようにして、気泡水準器２０の水平精度をより高くしてもよい。
【００６８】
好ましくは、水準管Ａ２１は透明なガラスチューブ或いは透明なプラスチックチューブである。水準管Ａ２１が透明なガラス材或いは透明なプラスチック材により製造されることで、気泡２１の液体中における位置情報をはっきり読み取ることができる。
【００６９】
好ましくは、図１５から図１７を参照し、当接ブロックＡ２３の横断面は円形或いは矩形である。当接ブロックＡ２３の横断面を円形或いは矩形等の規則的な形状とすることで、当接ブロックＡ２３が当接過程においてより均一に力を受けるようにし、取付がより便利で、気泡水準器２０の水平精度を保証する。
【００７０】
好ましくは、水準管Ａ２１は当接ブロックＡ２３とは一体構造になっている。水準管Ａ２１を当接ブロックＡ２３と一体構造として設置することで、その両方の構造の強度を高め、水準器の取付時の安定性を保証するだけでなく、余分な取付時間を減らし、全体としての取付効率を高めた。
【００７１】
本願は更に、エアコン取付板１００上に架設するエアコン室内機を含むエアコンを提案した。当該エアコン取付板１００の構造については、上記実施例を参照されたい。本エアコンは上記全ての実施例の全ての技術案を採用したので、少なくとも上記実施例の技術案がもたらす全ての有益な効果を有し、ここでは逐一贅言しない。
【００７２】
以上は本願の好ましい実施例にすぎず、それによって本願の特許の範囲を制限するわけではない。本願の構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００７３】
１００：エアコン取付板
１０：本体板
１１：挟持具
１１１：接続セグメント
１１２：挟持セグメント
１１３：案内セグメント
１２：リミットブロック
１３：逃げ口
１４：リミット板
１５：組立板
２０：気泡水準器
２１：気泡
２２：位置決め標示線
Ａ２１：水準管
Ａ２２：接続部
Ａ２３：当接ブロック
【図１】
2021527789.tif 000003
【図２】
2021527789.tif 000004
【図３】
2021527789.tif 000005
【図４】
2021527789.tif 000006
【図５】
2021527789.tif 000007
【図６】
2021527789.tif 000008
【図７】
2021527789.tif 000009
【図８】
2021527789.tif 000010
【図９】
2021527789.tif 000011
【図１０】
2021527789.tif 000012
【図１１】
2021527789.tif 000013
【図１２】
2021527789.tif 000014
【図１３】
2021527789.tif 000015
【図１４】
2021527789.tif 000016
【図１５】
2021527789.tif 000017
【図１６】
2021527789.tif 000018
【図１７】
2021527789.tif 000019
【国際調査報告】
2021527789.tif 000020
2021527789.tif 000021
2021527789.tif 000022
2021527789.tif 000023